(57)【要約】      （修正有）【課題】サーバへの処理負荷の集中を回避し、バイタルデータ値を処理遅延や判定漏れを起こすことなく確実に判定できる遠隔健康管理システムを提供する。【解決手段】測定機器ＡＴ１〜ＡＴｎにより測定されたバイタルデータをユーザ端末ＭＴ１〜ＭＴｎに送信し、ユーザ端末ＭＴ１〜ＭＴｎにおいてバイタルデータを閾値情報により判定する。そして、バイタルデータの値が閾値情報により指定される上限値と下限値との範囲に含まれている場合にはバイタルデータのみを、これに対し含まれていない場合にはバイタルデータとアラームデータを見守り管理サーバＳＶへそれぞれ送信し、見守り管理サーバＳＶで蓄積すると共にアラーム対応処理を実行する。【選択図】図１
2016157199.tif 000002
【特許請求の範囲】
【請求項１】
監視対象者のバイタルデータを測定する測定機器から測定されたバイタルデータを受け取る端末と、当該端末との間でネットワークを介して通信が可能な情報処理装置とを具備し、
前記端末は、
前記測定機器から受け取ったバイタルデータを、予めメモリに記憶しておいた閾値情報をもとに判定する判定手段と、
前記判定手段による判定結果を表す情報を当該判定の対象となったバイタルデータと共に前記情報処理装置へ送信する送信手段と
を備え、
前記情報処理装置は、
前記端末から送信されたバイタルデータおよび判定結果を表す情報を受信して記憶手段に記憶する受信手段と、
前記記憶された判定結果を表す情報に基づいて前記監視対象者に対する健康支援処理を実行する支援実行手段と
を備えることを特徴とする遠隔健康管理システム。
【請求項２】
前記情報処理装置は、
前記監視対象者ごとに閾値情報の設定処理を行う設定手段と、
前記設定手段により設定された閾値情報を対応する管理対象者の端末へ前記ネットワークを介して送信する閾値情報送信手段と
を、さらに備え、
前記端末は、
前記情報処理装置から送信された閾値情報を前記ネットワークを介して受信する閾値情報受信手段と、
前記受信された閾値情報を前記メモリに記憶させるか、または当該メモリに記憶された閾値情報を前記受信された閾値情報をもとに更新する更新手段と
を、さらに備えることを特徴とする請求項１記載の遠隔健康管理システム。
【請求項３】
前記端末は、
前記監視対象者が存在する場所の位置情報と気象情報の少なくとも一方を取得し、当該取得された付加情報を前記バイタルデータおよび判定結果を表す情報に付加して前記情報処理装置へ前記ネットワークを介して送信する手段を、さらに備え、
前記情報処理装置は、
前記端末から前記バイタルデータおよび判定結果を表す情報と共に送られた付加情報を受信し、当該受信された付加情報をもとに前記閾値情報の変更を行い、当該変更された閾値情報を対応する監視対象者の端末へ送信する手段を、さらに備えることを特徴とする請求項２記載の遠隔健康管理システム。
【請求項４】
監視対象者のバイタルデータを測定する測定機器から測定されたバイタルデータを受け取る端末と、当該端末との間でネットワークを介して通信が可能な情報処理装置とを具備するシステムが実行する遠隔健康管理方法であって、
前記端末が、前記測定機器から受け取ったバイタルデータを、予めメモリに記憶しておいた閾値情報をもとに判定する過程と、
前記端末が、前記判定された結果を表す情報を当該判定の対象となったバイタルデータと共に前記情報処理装置へ前記ネットワークを介して送信する過程と、
前記情報処理装置が、前記端末から前記ネットワークを介して送信されたバイタルデータおよび判定結果を表す情報を受信して記憶手段に記憶する過程と、
前記情報処理装置が、前記記憶された判定結果を表す情報に基づいて前記監視対象者に対する健康支援処理を実行する過程と
を具備することを特徴とする遠隔健康管理方法。
【請求項５】
前記情報処理装置が、前記監視対象者ごとに閾値情報の設定処理を行う過程と、
前記情報処理装置が、前記設定された閾値情報を対応する管理対象者の端末へ前記ネットワークを介して送信する過程と、
前記端末が、前記情報処理装置から送信された閾値情報を前記ネットワークを介して受信する過程と、
前記端末が、前記受信された閾値情報を前記メモリに記憶させるか、または当該メモリに記憶された閾値情報を前記受信された閾値情報をもとに更新する過程と
を、さらに具備することを特徴とする請求項４記載の遠隔健康管理方法。
【請求項６】
前記端末が、前記監視対象者が存在する場所の位置情報と気象情報の少なくとも一方を取得する過程と、
前記端末が、当該取得された付加情報を前記バイタルデータおよび判定結果を表す情報に付加して前記情報処理装置へ前記ネットワークを介して送信する過程と、
前記情報処理装置が、前記端末から前記バイタルデータおよび判定結果を表す情報と共に送られた付加情報を受信し、当該受信された付加情報をもとに前記閾値情報の変更を行う過程と、
前記情報処理装置が、前記変更された閾値情報を、対応する監視対象者の端末へ前記ネットワークを介して送信する過程と
を、さらに具備することを特徴とする請求項５記載の遠隔健康管理方法。
【請求項７】
請求項１乃至３のいずれかに記載の遠隔健康管理システムの端末が備える各手段の処理を、当該端末が備えるプロセッサに実行させるプログラム。
【請求項８】
請求項１乃至３のいずれかに記載の遠隔健康管理システムの情報処理装置が備える各手段の処理を、当該情報処理装置が備えるコンピュータに実行させるプログラム。
【発明の詳細な説明】
【技術分野】
【０００１】
この発明は、対象者の健康状態を遠隔監視する遠隔健康管理システム、方法及びプログラムに関する。
【背景技術】
【０００２】
近年、高齢者や病歴等を持つ人の健康状態を遠隔的に監視するシステムが提案されている。例えば、非特許文献１に開示される遠隔ヘルスシステムは、施設において、ワイヤレス生体センサにより測定されたデータを施設内に配置された受信機で受信し、当該受信された測定データを情報処理サーバに搭載されたトリアージエンジンにより取得し解析する。そして、その解析結果に基づいて被測定者を最優先治療群、待機的治療群または保留群に分け、これらの群ごとに医師が対応するように構成されている。
【先行技術文献】
【非特許文献】
【０００３】
【非特許文献１】原晋介ほか、大阪市立大学大学院  工学研究科／医学研究科、「バイタルセンサの臨床データ取得とそのユビキタス健康監視への応用に関する研究開発」、地域ICT振興型研究開発（課題番号:092307004）SCOPE第７回成果発表会、2011年10月4日、p20,21、インターネット＜URL:http//www.soumu.go.jp/main_sosiki/joho_tsusin/scope/ecent/s7photo.html＞
【発明の概要】
【発明が解決しようとする課題】
【０００４】
ところが、非特許文献１に記載されたシステムでは、施設内の受信機から送信される被測定者の測定データの取得・蓄積処理と、当該取得された各被測定者の測定データの解析処理を、すべて情報処理サーバが一括して行っている。このため、入居者数が増加すると情報処理サーバの負荷が非常に高くなり、バイタルデータ値の判定が追いつかずに処理遅延や判定漏れが発生するおそれがあった。
【０００５】
この発明は上記事情に着目してなされたもので、その目的とするところは、情報処理サーバへの処理負荷の集中を回避し、バイタルデータ値を処理遅延や判定漏れを起こすことなく確実に判定できるようにした遠隔健康管理システム、方法及びプログラムを提供することにある。
【課題を解決するための手段】
【０００６】
上記目的を達成するためにこの発明の第１の態様は、監視対象者のバイタルデータを測定する測定機器から測定されたバイタルデータを受け取る端末と、当該端末との間でネットワークを介して通信が可能な情報処理装置とを具備する遠隔健康管理システムであって、上記端末により、上記測定機器から受け取ったバイタルデータを、予めメモリに記憶しておいた閾値情報をもとに判定し、その判定結果を表す情報を当該判定の対象となったバイタルデータと共に上記情報処理装置へ送信する。これに対し上記情報処理装置では、上記端末から送信されたバイタルデータおよび判定結果を表す情報を受信して記憶手段に記憶すると共に、上記記憶された判定結果を表す情報に基づいて上記監視対象者に対する健康支援処理を実行するようにしたものである。
【０００７】
この発明の第２の態様は、上記情報処理装置において、上記監視対象者ごとに閾値情報の設定処理を行い、当該設定された閾値情報を対応する管理対象者の端末へ上記ネットワークを介して送信する。これに対し上記端末では、上記情報処理装置から送信された閾値情報を上記ネットワークを介して受信し、当該受信された閾値情報を上記メモリに記憶させるかまたは当該メモリに記憶された閾値情報を上記受信された閾値情報により更新するようにしたものである。
【０００８】
この発明の第３の態様は、上記端末により、上記監視対象者が存在する場所の位置情報と気象情報の少なくとも一方を取得し、当該取得された付加情報を上記バイタルデータおよび判定結果を表す情報に付加して上記情報処理装置へ上記ネットワークを介して送信する。これに対し上記情報処理装置では、上記端末から上記バイタルデータおよび判定結果を表す情報と共に送られた付加情報を受信すると、当該受信された付加情報をもとに上記閾値情報の変更を行い、当該変更された閾値情報を対応する監視対象者の端末へ送信するようにしたものである。
【発明の効果】
【０００９】
この発明の第１の態様によれば、情報処理装置はバイタルデータの判定処理を行う必要がなく、バイタルデータの受信・蓄積処理のみを行えばよいことになり、これにより処理負荷が軽減されて、バイタルデータの判定処理遅延や判定漏れなどが発生することを回避することができる。
【００１０】
この発明の第２の態様によれば、端末が判定処理に使用する閾値情報が情報処理装置において監視対象者ごとに設定され、当該閾値情報が情報処理装置から各端末へ配信されて設定される。このため、閾値情報を情報処理装置側で一元管理することができ、これにより監視対象者ごとに常に適切な閾値情報により正確なバイタルデータ値の判定処理が可能となる。
【００１１】
この発明の第３の態様によれば、情報処理装置において、端末からバイタルデータおよび判定結果を表す情報と共に送られた付加情報をもとに上記閾値情報の変更が行われ、当該変更された閾値情報が対応する監視対象者の端末へ送信されて更新される。このため、監視対象者が存在する場所の地理的特徴や環境的な特徴に応じて、常に適切なバイタルデータの判定処理を行うことが可能となる。
【００１２】
すなわちこの発明によれば、情報処理サーバへの処理負荷の集中を回避し、バイタルデータ値を処理遅延や判定漏れを起こすことなく確実に判定できるようにした遠隔健康管理システム、方法及びプログラムを提供することができる。
【図面の簡単な説明】
【００１３】
【図１】この発明の一実施形態に係る遠隔健康管理システムの概略構成図。
【図２】図１に示した遠隔健康管理システムで使用されるユーザ端末の機能構成を示すブロック図。
【図３】図１に示した遠隔健康管理システムで使用される見守り管理サーバの機能構成を示すブロック図。
【図４】図１に示した遠隔健康管理システムにおけるユーザ端末起動時の動作を示すシーケンス図。
【図５】図１に示した遠隔健康管理システムにおける通常時の動作を示すシーケンス図。
【図６】図１に示した遠隔健康管理システムにおける閾値情報変更時の動作を示すシーケンス図。
【発明を実施するための形態】
【００１４】
以下、図面を参照してこの発明に係わる実施形態を説明する。  
［一実施形態］
（構成）
図１はこの発明の一実施形態に係る遠隔健康管理システムの概略構成図である。  
この実施形態の遠隔健康管理システムは、管理対象となる複数のユーザＵＳ１〜ＵＳｎの各々に測定機器ＡＴ１〜ＡＴｎとユーザ端末ＭＴ１〜ＭＴｎを所持させ、このユーザ端末ＭＴ１〜ＭＴｎと見守り管理サーバＳＶとの間で通信ネットワークＮＷを介して通信を可能にしたものである。
【００１５】
測定機器ＡＴ１〜ＡＴｎは、例えばユーザＵＳ１〜ＵＳｎの体温を測定する体温計からなり、ユーザＵＳ１〜ＵＳｎの測定部位に取着される。測定機器ＡＴ１〜ＡＴｎは、体温を測定するセンサ部と、送信部とを備え、センサ部により測定された体温のバイタルデータを送信部により電文化し、連続的に或いは一定の周期でユーザ端末ＭＴ１〜ＭＴｎへ送信する。なお、測定機器としては、体温計以外に血圧計や心電計、呼吸計などであってもよい。
【００１６】
ユーザ端末ＭＴ１〜ＭＴｎは、例えば携帯電話機やスマートフォン等の携帯端末を用いたもので、以下のように構成される。図２はその機能構成を示すブロック図である。すなわち、ユーザ端末ＭＴ１〜ＭＴｎは、制御ユニット１と、記憶ユニット２と、無線インタフェースユニット３，４を備えている。
【００１７】
無線インタフェースユニット３は、上記測定機器ＡＴ１〜ＡＴｎから送信されるバイタルデータを受信するもので、無線インタフェースとして例えばBluetooth（登録商標）等の小電力無線データ通信規格を採用した無線インタフェースを使用する。無線インタフェースユニット４は、通信ネットワークＮＷを介して見守り管理サーバＳＶとの間で通信を行うもので、無線インタフェースとして携帯電話システムや無線ＬＡＮ（Local Area Network）等の移動通信システム用の無線インタフェースを使用する。
【００１８】
記憶ユニット２は、記憶媒体としてＳＳＤ（Solid State Drive）などの書き込み及び読み出しが可能な不揮発性メモリと、ＲＡＭを使用したもので、本実施形態に係る記憶部としてバイタルデータ一時記憶部２１と、判定結果一時記憶部２２と、閾値情報記憶部２３を備える。
【００１９】
バイタルデータ一時記憶部２１は受信用のバッファメモリとして使用され、測定機器ＡＴ１〜ＡＴｎから送られたバイタルデータを一時記憶する。判定結果一時記憶部２２は、バイタルデータの判定結果を表す情報を一時保存するために使用される。閾値情報記憶部２３は、ユーザＵＳ１〜ＵＳｎごとに設定されたバイタルデータ判定用の閾値情報を記憶するために用いられる。
【００２０】
制御ユニット１は、例えばマイクロプロセッサを用いた中央処理ユニット（Central Processing Unit：ＣＰＵ）を有し、本実施形態を実施するために必要な制御機能として、バイタルデータ受信制御部１１と、バイタルデータ判定部１２と、データ送信制御部１３と、閾値情報取得制御部１４を備えている。これらの制御機能はいずれも図示しないプログラムメモリに格納されたプログラムを上記ＣＰＵに実行させることにより実現される。
【００２１】
バイタルデータ受信制御部１１は、上記測定機器ＡＴ１〜ＡＴｎから連続的または一定の時間間隔で送信された送信データを受信する。そして、当該受信された送信データからバイタルデータを復号してバイタルデータ一時記憶部２１に一時記憶させる処理を行う。
【００２２】
バイタルデータ判定部１２は、上記バイタルデータ一時記憶部２１に一時記憶されたバイタルデータの値を上記しきい値情報記憶部２３に記憶された閾値（上限値及び下限値）と比較し、バイタルデータ値が閾値により指定される範囲内に含まれているか否かを判定する。そして、その判定結果を表す情報を判定結果一時記憶部２２に保存させる処理を行う。
【００２３】
データ送信制御部１３は、上記バイタルデータ判定部１２による判定結果に基づき、バイタルデータ値が閾値で指定される範囲内に含まれている場合には上記受信されたバイタルデータとその測定時刻を表すタイムスタンプのみを、またバイタルデータ値が閾値で指定される範囲内に含まれていない場合には上記受信されたバイタルデータおよびアラームデータとそのタイムスタンプを、それぞれユーザＩＤと共にパケットデータに挿入して見守り管理サーバＳＶへ送信する処理を行う。
【００２４】
閾値情報取得制御部１４は、ユーザ端末ＭＴ１〜ＭＴｎの起動時、或いは見守り管理サーバＳＶから閾値情報の変更通知を受信した時に、見守り管理サーバＳＶに対し閾値情報送信要求を送信する。そして、当該送信要求に対し見守り管理サーバＳＶから送信される閾値情報を受信して閾値情報記憶部２３に記憶させる処理を行う。
【００２５】
一方、見守り管理サーバＳＶはWeb上またはＬＡＮ上に設けられたサーバコンピュータ、またはクラウドコンピュータからなり、以下のように構成される。図３はその機能構成を示すブロック図である。すなわち、見守り管理サーバＳＶは、制御ユニット５と、記憶ユニット６と、通信インタフェースユニット７と、入力部８および表示部９を備えている。
【００２６】
通信インタフェースユニット７は、制御ユニット５の制御の下で、通信ネットワークＮＷを介してユーザ端末ＭＴ１〜ＭＴｎおよび見守りスタッフや医師が使用する端末との間で通信を行う。
【００２７】
記憶ユニット６は、記憶媒体としてＨＤＤ（Hard Disk Drive）等の大容量のメモリを有し、本実施形態を実施するために必要な記憶部として、バイタルデータ記憶部６１と、アラームデータ記憶部６２と、閾値設定ファイル記憶部６３を備えている。
【００２８】
バイタルデータ記憶部６１は、上記ユーザ端末ＭＴ１〜ＭＴｎから送られたバイタルデータを記憶するために使用される。アラームデータ記憶部６２は、上記ユーザ端末ＭＴ１〜ＭＴｎから送られた判定結果を表す情報を記憶するために使用される。閾値設定ファイル記憶部６３は、ユーザＵＳ１〜ＵＳｎごとに設定された閾値情報を、ユーザ識別情報（ユーザＩＤ）と関連付けて閾値設定ファイルＴＦ１〜ＴＦｎに記憶するために使用される。
【００２９】
制御ユニット５は、中央処理ユニット（Central Processing Unit：ＣＰＵ）を有し、本実施形態を実施するために必要な制御機能として、データ受信記憶制御部５１と、アラーム対応制御部５２と、閾値情報設定制御部５３を備えている。これらの制御機能は、いずれも図示しないプログラムメモリに格納されたプログラムを上記ＣＰＵに実行させることにより実現される。
【００３０】
データ受信記憶制御部５１は、上記ユーザ端末ＭＴ１〜ＭＴｎから送信されたパケットデータを通信インタフェースユニット７を介して受信し、当該受信されたパケットデータからバイタルデータおよびアラームデータを抽出する。そして、この抽出されたバイタルデータをタイムスタンプと共にバイタルデータ記憶部６１に、またアラームデータをタイムスタンプと共にアラームデータ記憶部６２に、それぞれ送信元のユーザＩＤと関連付けて記憶させる処理を行う。
【００３１】
アラーム対応制御部５２は、上記受信されたパケットデータにアラームデータが含まれていた場合に、当該アラームデータとその判定対象となったバイタルデータをもとに予め設定した判定基準に従い緊急度を判定する。そして、当該緊急度の判定結果に応じて、予め設定してある通知先へ救護指令を送信する処理を行う。
【００３２】
閾値情報設定制御部５３は、入力部８および表示部９を使用してユーザに対する閾値情報の新規設定または変更操作が行われた場合に、当該入力された閾値情報を閾値設定ファイル記憶部６３に格納した後、該当するユーザ端末へ閾値情報変更通知を送信する処理と、ユーザ端末ＭＴ１〜ＭＴｎから閾値情報送信要求が送られた場合に、上記しきい値設定ファイル記憶部６３から該当するユーザの閾値情報を読み出してユーザ端末ＭＴ１〜ＭＴｎへ送信する処理を行う。
【００３３】
（動作）
（１）ユーザ端末起動時の動作
図４は、ユーザ端末ＭＴ１〜ＭＴｎが起動されたときの、当該ユーザ端末ＭＴ１〜ＭＴｎおよび見守り管理サーバＳＶの処理手順と処理内容を示すシーケンス図である。なお、見守り管理サーバＳＶの閾値設定ファイル記憶部６３には、各ユーザＵＳ１〜ＵＳｎの閾値情報が予め記憶されているものとして説明を行う。
【００３４】
いま例えばユーザＵＳ１が測定機器ＡＴ１を装着し、自身のユーザ端末ＭＴ１の見守りサービスのためのアプリケーションを起動させたとする。この場合ユーザ端末ＭＴ１の制御ユニット１は、ステップＳ１１で上記アプリケーションの起動を検出すると、先ず見守り管理サーバＳＶに対し接続確認を送信する。
【００３５】
これに対し見守り管理サーバＳＶは、上記接続確認に含まれるユーザＩＤと予め記憶されているユーザ情報をもとにユーザ認証を行い、見守りサービスに利用登録済のユーザであるか否かを判定する。この判定の結果、利用登録済のユーザであることが確認されると、見守り管理サーバＳＶは確認要求元のユーザ端末ＭＴ１へその旨の確認結果を返送する。
【００３６】
ユーザ端末ＭＴ１は、上記利用登録済であることを示す確認結果を受信すると、閾値情報取得制御部１４の制御の下、見守り管理サーバＳＶに対し閾値情報送信要求を送信する。この閾値情報送信要求にはユーザＩＤが含まれる。なお、未登録であることを示す確認結果が返送された場合には、ユーザ端末ＭＴ１はその旨を表示部に表示した後、動作を終了する。
【００３７】
見守り管理サーバＳＶの制御ユニット５は、上記ユーザ端末ＭＴ１から閾値情報送信要求が送られると、閾値情報設定制御部５３の制御の下、ステップＳ１２により、当該受信された閾値情報送信要求に含まれるユーザＩＤをもとに閾値設定ファイル記憶部６３から該当する閾値設定ファイルを読み出す。そして、この読み出された閾値設定ファイルに記載された閾値及びバイタルデータ種別と、上記受信したユーザＩＤとを含む閾値情報を生成し、この生成された閾値情報を送信要求元のユーザ端末ＭＴ１へ送信する。
【００３８】
ユーザ端末ＭＴ１の制御ユニット１は、上記閾値情報を受信すると、閾値情報取得制御部１４の制御の下、ステップＳ１３により、上記受信された閾値情報に含まれるユーザＩＤが自端末の所有者であるユーザのものであることを確認した後、上記閾値情報に含まれる閾値及びバイタルデータ種別を閾値情報記憶部２３に格納する。
【００３９】
（２）通常時の動作
上記起動時の動作シーケンスが終了すると、以後ユーザ端末ＭＴ１は通常時の動作シーケンスを実行する。図５はその処理手順と処理内容を示すシーケンス図である。なお、ここではバイタルデータとして「体温」を測定する場合を例にとって説明を行う。
【００４０】
測定機器ＡＴ１では、ステップＳ２１において予め設定した一定の時間間隔でユーザＵＳ１の体温が測定される。そして、ステップＳ２２により、上記測定された体温の値とユーザＩＤとを含む電文が作成され、この電文がユーザ端末ＭＴ１へ向け送信される。
【００４１】
ユーザ端末ＭＴ１は、バイタルデータ受信制御部１１の制御の下、ステップＳ２３により、無線インタフェースユニット３を介して上記電文を受信する。そして、この受信された電文に含まれる体温の測定値をバイタルデータ一時記憶部２１に保存する。
【００４２】
上記バイタルデータを受信するとユーザ端末ＭＴ１は、次にバイタルデータ判定部１２の制御の下、ステップＳ２４により閾値情報記憶部２３から閾値を読み出す。そして、ステップＳ２５により上記受信したバイタルデータ値（体温の測定値）を上記読み出された閾値と比較し、体温の測定値が閾値により示される上限値と下限値との間に含まれているか否かを判定する。
【００４３】
ユーザ端末ＭＴ１は、次にデータ送信制御部１３の制御の下、ステップＳ２６において、上記ステップＳ２５の判定結果に基づいてパケット化された電文を作成する。例えば、体温の測定値が閾値により示される上限値と下限値との間に含まれていると判定された場合には、当該体温の測定値をユーザＩＤと測定時刻を表すタイムスタンプと共にパケットに挿入し、当該パケットを無線インタフェースユニット４から見守り管理サーバＳＶへ送信する。これに対し、体温の測定値が閾値により示される上限値と下限値との間に含まれていなかったとする。この場合には、当該体温の測定値とアラームデータをユーザＩＤと測定時刻を表すタイムスタンプと共にパケットに挿入し、当該パケットを無線インタフェースユニット４から見守り管理サーバＳＶへ送信する。
【００４４】
一方見守り管理サーバＳＶは、ユーザ端末ＭＴ１から送信されたパケットデータを通信インタフェースユニット７で受信すると、データ受信記憶制御部５１の制御の下、上記受信されたパケットデータから体温の測定値とタイムスタンプを抽出し、これらを一組として同時に抽出されたユーザＩＤに対応付けてバイタルデータ記憶部６１に格納する。また、上記受信されたパケットデータにアラームデータが含まれていた場合には、当該アラームデータとタイムスタンプをユーザＩＤに対応付けてアラームデータ記憶部６２に格納する。
【００４５】
また見守り管理サーバＳＶは、上記パケットデータにアラームデータが含まれていると、アラーム対応制御部５２の制御の下、ステップＳ２７により、当該アラームデータとその判定対象となったバイタルデータをもとに予め設定した判定基準に従い緊急度を判定する。そして、当該緊急度の判定結果に応じて、予め設定してある通知先へ救護指令を送信する。例えば、体温の平熱に対する上昇値を閾値を用いて判定し、体温が閾値を超えていなければ家族または救護職員の携帯端末へ救護指令を送信し、一方体温が閾値を超えた場合には家族または救護職員の携帯端末に加え、罹り付けの医師の端末或いは救急へ通報する。
【００４６】
（３）閾値変更動作
見守り管理サーバＳＶにおいてサービス管理者が、あるユーザＵＳ１の閾値情報を変更するための操作を行うと、以下のような閾値変更動作が行われる。図６はその処理手順と処理内容を示すシーケンス図である。
【００４７】
すなわち、見守り管理サーバＳＶは、上記閾値情報の変更入力をステップＳ３１で受け付けると、閾値情報設定制御部５３の制御の下、先ずステップＳ３２において、閾値設定ファイル記憶部６３に記憶された該当するユーザＵＳ１の閾値設定ファイルＴＦ１を、上記入力された閾値情報に変更する。なお、該当するユーザの閾値設定ファイルが存在しない場合には、当該ユーザに対応する閾値設定ファイルを新たに作成し、当該閾値設定ファイルに上記入力された閾値情報を記憶される。
【００４８】
次に、閾値情報変更通知を通信インタフェースユニット７から対応するユーザ端末ＭＴ１に向け送信する。これに対しユーザ端末ＭＴ１は、無線インタフェースユニット４を介して上記閾値情報変更通知を受信すると、閾値情報取得制御部１４の制御の下で、先ず閾値情報送信要求を見守り管理サーバＳＶへ送信する。
【００４９】
上記閾値情報送信要求を通信インタフェースユニット７を介して受信すると、見守り管理サーバＳＶは閾値情報設定制御部５３の制御の下、ステップＳ３３により上記閾値設定ファイルＴＦ１から変更後の閾値情報を読み出し、当該読み出された閾値情報を送信要求元のユーザ端末ＭＴ１へ通信インタフェースユニット７から送信する。
【００５０】
上記閾値情報を無線インタフェースユニット４を介して受信すると、ユーザ端末ＭＴ１は閾値情報取得制御部１４の制御の下、ステップＳ３４により閾値情報補記憶部２３に格納されている閾値情報を上記受信された閾値情報に更新する。なお、閾値情報補記憶部２３に閾値情報が未登録の場合には、上記受信された閾値情報を閾値情報補記憶部２３に新規登録する。
【００５１】
（実施形態の効果）
以上詳述したように本実施形態では、測定機器ＡＴ１〜ＡＴｎにより測定されたバイタルデータをユーザ端末ＭＴ１〜ＭＴｎに送信し、ユーザ端末ＭＴ１〜ＭＴｎにおいて上記バイタルデータを閾値情報により判定する。そして、バイタルデータの値が閾値情報により指定される上限値と下限値との範囲に含まれている場合には上記バイタルデータのみを、これに対し含まれていない場合には上記バイタルデータとアラームデータを見守り管理サーバＳＶへそれぞれ送信し、見守り管理サーバＳＶで蓄積すると共にアラーム対応処理を実行するようにしている。
【００５２】
したがって、見守り管理サーバＳＶはバイタルデータの判定処理を行う必要がなく、バイタルデータの受信・蓄積処理のみを行えばよいことになり、これにより処理負荷が軽減されて、バイタルデータの判定処理遅延や判定漏れなどが発生することを回避することができる。
【００５３】
また、本実施形態ではユーザ端末ＭＴ１〜ＭＴｎが判定処理に使用する閾値情報が見守り管理サーバＳＶにおいてユーザＵＳ１〜ＵＳｎごとに設定され、この設定された閾値情報が見守り管理サーバＳＶから各ユーザ端末ＭＴ１〜ＭＴｎへそれぞれ配信されて設定される。このため、閾値情報をサービス提供事業者が一元管理することができ、これによりユーザＵＳ１〜ＵＳｎごとに常に適切な閾値情報により正確なバイタルデータ値の判定処理が可能となる。
【００５４】
［他の実施形態］
ユーザ端末ＭＴ１〜ＭＴｎがＧＰＳ（Global Positioning System）による位置計測機能を備えている場合に、ユーザ端末ＭＴ１〜ＭＴｎから見守り管理サーバＳＶへバイタルデータと共に上記ＧＰＳにより計測された自端末の位置情報を送信する。そして、見守り管理サーバＳＶが、アラーム対応制御部５２によりアラーム対応処理を行う場合に、救護通報に上記ユーザ端末の位置情報を含めるようにしてもよい。このようにすると、救護者は救護対象のユーザの位置を認識することができ、迅速な救護活動が可能となる。
【００５５】
また、ユーザ端末ＭＴ１〜ＭＴｎからバイタルデータと共に送られる位置情報をもとに、見守り管理サーバＳＶにおいて閾値情報を適応的に変更し、この変更された閾値情報を該当するユーザ端末ＭＴ１〜ＭＴｎへ送信して閾値情報を更新するようにしてもよい。例えば、温暖な地域に住んでいるユーザが寒冷地に移動した場合には血圧や心拍数の判定閾値の上限値と下限値の幅を縮小する。また地方に住んでいるユーザが都心に移動した場合にも、ユーザへの心理的または肉体的負担の増加を考慮して閾値を変更する。このようにすると、ユーザが存在する場所の環境的特徴に応じて常に適切な判定処理を行うことが可能となる。なお、測定機器ＡＴ１〜ＡＴｎまたはユーザ端末ＭＴ１〜ＭＴｎが温度計や気圧計を備えている場合には、その測定データも併せて見守り管理サーバＳＶへ送信し、これらの気象データをもとに閾値を変更するようにしてもよい。
【００５６】
さらに、前記実施形態では見守り管理サーバＳＶにバイタルデータ記憶部６１、アラームデータ記憶部６２および閾値設定ファイル記憶部６３を設けた場合を例にとって説明したが、これらの記憶部６１〜６３を見守り管理サーバＳＶとは別のデータベースサーバなどに設けるようにしてもよい。
【００５７】
さらに、前記実施形態では測定機器ＡＴ１〜ＡＴｎとユーザ端末ＭＴ１〜ＭＴｎとの間をBluetooth（登録商標）等の無線インタフェースを使用して接続するようにしたが、信号ケーブルにより接続するようにしてもよい。また、測定機器をユーザ端末に外設または内蔵してもよい。
【００５８】
さらに、前記実施形態ではユーザの見守り動作を行う場合を例にとって説明したが、ユーザの疾病予兆検知を行うようにしてもよく、その他ユーザ端末および見守り管理サーバの構成、見守り動作および閾値変更動作の手順とその内容等についても、この発明の要旨を逸脱しない範囲で種々変形して実施可能である。
【００５９】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００６０】
ＵＳ１〜ＵＳｎ…ユーザ、ＡＴ１〜ＡＴｎ…策定機器、ＭＴ１〜ＭＴｎ…ユーザ端末、ＴＦ１〜ＴＦｎ…閾値設定ファイル、ＳＶ…見守り管理サーバ、ＮＷ…通信ネットワーク、１…ユーザ端末の制御ユニット、２…ユーザ端末の記憶ユニット、３，４…無線インタフェースユニット、５…見守り管理サーバの制御ユニット、６…見守り管理サーバの記憶ユニット、７…通信インタフェースユニット、８…入力部、９…表示部、１１…バイタルデータ受信制御部、１２…バイタルデータ判定部、１３…データ送信制御部、１４…閾値情報取得制御部、２１…バイタルデータ一時記憶部、２２…判定結果一時記憶部、２３…閾値情報記憶部、５１…データ受信記憶制御部、５２…アラーム対応制御部、５３…閾値情報設定制御部、６１…バイタルデータ記憶部、６２…アラームデータ記憶部、６３…閾値設定ファイル記憶部。
【図１】
2016157199.tif 000003
【図２】
2016157199.tif 000004
【図３】
2016157199.tif 000005
【図４】
2016157199.tif 000006
【図５】
2016157199.tif 000007
【図６】
2016157199.tif 000008